(57)【要約】      （修正有）【課題】出産前には妊婦用のサッシュベルトとして使用し、出産後に生まれてきた子供に着けることのできるサッシュベルトを提供する。【解決手段】サッシュベルト１は、装飾物２ａが表側に設けられた本体２、本体の第１軸Ｌ１方向の両端に設けられた一対のベルト接合部材３ａ，３ｂ、本体の第２軸Ｌ２方向の両端及び第３軸Ｌ３方向の両端のそれぞれに設けられた、肩紐を着脱可能な肩紐接合部材４ａ〜４ｄを備える。本体２の一対のベルト接合部材３ａ、３ｂにベルトを接合し、そのベルトを胴部に巻きとめ、本体を腹部上に留めることで妊婦用のサッシュベルト１として使用できるとともに、本体１の第２軸Ｌ２方向の両端に肩紐を接合し、第３軸Ｌ３方向の両端に肩紐を接合し、２つの肩紐を両肩にかけて本体２を胴体上に留めることで産後に子供の体に着ける装飾物として使用することができる。【選択図】図１
0003215454.tif 000002
【実用新案登録請求の範囲】
【請求項１】
装飾物が表側に設けられた本体と、
前記本体の第１軸方向の両端に設けられた一対のベルト接合部材と、
前記本体の前記第１軸方向に交差する第２軸方向の両端及び前記第１軸方向に交差し、前記第２軸方向から離間する第３軸方向の両端のそれぞれに設けられた、肩ひもを着脱可能な肩紐接合部材と、
を備えることを特徴とする、サッシュベルト。
【請求項２】
前記ベルト接合部材は、ベルトを着脱可能であることを特徴とする、請求項１に記載のサッシュベルト。
【請求項３】
前記ベルト接合部材に接合されるベルトをさらに備える特徴とする、請求項１又は２に記載のサッシュベルト。
【請求項４】
前記肩紐接合部材に接合される２の肩紐をさらに備えることを特徴とする、請求項１〜３のいずれか１項に記載のサッシュベルト。
【請求項５】
前記肩紐は透明であることを特徴とする、請求項４に記載のサッシュベルト。
【考案の詳細な説明】
【技術分野】
【０００１】
本考案は、妊婦が装着するサッシュベルトに関する。
【背景技術】
【０００２】
妊婦がサッシュベルトを装着すると生まれてくる子供が幸せになると言われていることから、装飾を施したサッシュベルトがマタニティウェアの１つとして広まっている。マタニティウェア（例えば、特許文献１参照）が使用されるのは子供が妊婦の胎内にいる約１０か月と短い。そこで、記念として、妊婦がサッシュベルトを装着して写真撮影し、さらに出産直後に子供にサッシュベルトを着けて写真撮影することがある。母親と子供とが同じサッシュベルトを着けていることから、親族としての愛情が高まるものである。また、出産直後でなく、子供が成長した後（例えば「お座り」ができるようになった時）にも、同じサッシュベルトを着けて写真撮影したいという希望がある。
【先行技術文献】
【特許文献】
【０００３】
【特許文献１】実用新案登録３１０９４１４号公報
【考案の概要】
【考案が解決しようとする課題】
【０００４】
本考案は、出産前には妊婦用のサッシュベルトとして使用し、出産後に生まれてきた子供に着けることのできるサッシュベルトを提供することを課題とする。
【課題を解決するための手段】
【０００５】
本考案のサッシュベルトは、
装飾物が表側に設けられた本体と、
前記本体の第１軸方向の両端に設けられた一対のベルト接合部材と、
前記本体の前記第１軸方向に交差する第２軸方向の両端及び前記第１軸方向に交差し、前記第２軸方向から離間する第３軸方向の両端のそれぞれに設けられた、肩ひもを着脱可能な肩紐接合部材と、
を備えることを特徴とする。
【０００６】
これによれば、本体の一対のベルト接合部材にベルトを接合し、そのベルトを胴部に巻きとめ、本体を腹部上に留めることで妊婦用のサッシュベルトとして使用できるとともに、本体の第２軸方向の両端に肩紐を接合し、第３軸方向の両端に別の肩紐を接合し、２つの肩紐を両肩にかけて本体を胴体上に留めることで産後に子供の体に着ける装飾物として使用することができる。
【０００７】
本考案のサッシュベルトは、
前記ベルト接合部材は、ベルトを着脱可能であることを特徴とする。
【０００８】
これによれば、出産前には、ベルトをベルト接合部材に接合して妊婦用のサッシュベルトとして使用し、出産後には、ベルトを取り外して、本体を子供に着けることができる。
【０００９】
本考案のサッシュベルトは、
前記ベルト接合部材に接合されるベルトをさらに備える特徴とする。
【００１０】
これによれば、ベルトを胴部に巻き付けてサッシュベルトを装着することができる。
【００１１】
本考案のサッシュベルトは、
前記肩紐接合部材に接合される２の肩紐をさらに備えることを特徴とする。
【００１２】
これによれば、２つの肩紐を子供の両肩にかけて本体を子供につけることができる。
【００１３】
本考案のサッシュベルトは、
前記肩紐は透明であることを特徴とする。
【００１４】
これによれば、肩紐が透明で目につかないことで、出産前に妊婦が装着していたサッシュベルトにほぼ等しい状態の本体を出産後に子供につけることができる。
【考案の効果】
【００１５】
本考案によれば、出産前には妊婦用のサッシュベルトとして使用し、出産後に生まれてきた子供に着けることのできるサッシュベルトを提供することが可能となる。
【図面の簡単な説明】
【００１６】
【図１】図１は、本実施形態に係るサッシュベルトの構成を示す図である。
【図２】図２は、ベルトを接合した状態のサッシュベルトを示す図である。
【図３】図３は、肩紐を接合した状態のサッシュベルトを示す図である。
【考案を実施するための形態】
【００１７】
以下、本考案の一実施形態について説明する。
【００１８】
図１に、本実施形態に係るサッシュベルト１の構成を示す。図１（Ａ）及び（Ｂ）は、それぞれ、サッシュベルト１の表側及び裏側を示す。図１（Ｂ）に示すように、図面横方向に延びる軸を第１軸Ｌ１とし、第１軸Ｌ１に交差（ここでは直交）し、互いに第１軸方向に離間する２つの軸をそれぞれ第２軸Ｌ２及び第３軸Ｌ３とする。サッシュベルト１は、本体２、一対のベルト接合部材３ａ，３ｂ、肩紐接合部材４ａ〜４ｄ、ベルト５、及び肩紐６ａ，６ｂを備える。
【００１９】
本体２は、装飾物２ａを支持して腹部上に配する部分である。本体２は、一例として、フェルト等の２つの生地を略矩形状に成形し、クッション材を挟んで周縁を接合することで形成される。装飾物２ａは、本実施形態ではそれぞれ異なる色の２つの造花とし、接着剤を用いてそれらの裏側を本体２の表側に横に並べて固定されている。
【００２０】
一対のベルト接合部材３ａ，３ｂは、ベルト５を本体２に接合するための部材である。本実施形態では、組紐、撚紐等の一対の紐を採用する。ベルト接合部材３ａは、その両端を本体２の第１軸Ｌ１方向の一端、本例では図１（Ｂ）における左端の上側及び下側にそれぞれ留めることで、本体２に固定されている。ベルト接合部材３ｂは、その両端を本体２の横方向の他端、本例では図１（Ｂ）における右端の上側及び下側にそれぞれ留めることで、本体２に固定されている。
【００２１】
肩紐接合部材４ａ〜４ｄは、肩紐６ａ，６ｂを本体に着脱可能に接合するための部材である。本実施形態では、テープ状又はリボン状の紐を採用する。肩紐接合部材４ａ，４ｂは、それぞれ本体２の第２軸Ｌ２方向の上端及び下端に、両端を重ねて接合されている。肩紐接合部材４ａ，４ｂは、それぞれ本体２の第２軸Ｌ２方向の上端及び下端に、両端を重ねてループを形成してその基端が接合されている。肩紐接合部材４ｃ，４ｄは、それぞれ本体２の第３軸Ｌ３方向の上端及び下端に、両端を重ねてループを形成してその基端が接合されている。
【００２２】
なお、肩紐接合部材４ａ，４ｂ及び４ｃ，４ｄ（すなわち、第２軸Ｖ２と第３軸Ｖ３）との離間距離を、それぞれの肩紐接合部材４ａ，４ｂ及び４ｃ，４ｄに接合する２つの肩紐６ａ，６ｂが子供の肩にかけやすいように調整するとよい。
【００２３】
ベルト５は、胴部に巻き付けることで本体２を胴部上に留めるための帯状部材である。ベルト５は、一例として、両端に面ファスナ（不図示）が設けられている。図２に示すように、ベルト５の一端を、ベルト接合部材３ａに通して折り返し、互いに対向する面ファスナを当接することで本体２に固定する。同様に、ベルト５の他端を、ベルト接合部材３ｂに通して折り返し、互いに対向する面ファスナを当接することで本体２に固定する。ベルトを着脱可能にベルト接合部材に接合することができることで、出産前には、ベルト５をベルト接合部材３ａ，３ｂに接合して妊婦用のサッシュベルトとして使用し、出産後には、ベルト５を取り外して、本体２を子供に着けることができる。
【００２４】
出産直後の嬰児には、ベルト５を取り外して嬰児の腹部に本体２を置くことで、サッシュベルトを着用しているかのように見え、写真を撮影することができる。
【００２５】
肩紐６ａ，６ｂは、本体２を子供に着けるための紐状部材である。本実施形態では、透明なテープ状又はリボン状の紐を採用する。肩紐６ａ，６ｂが透明で目につかないことで、出産前に妊婦が装着していたサッシュベルトにほぼ等しい状態の本体２を出産後に子供につけることができる。図３に示すように、肩紐６ａは、両端をそれぞれ肩紐接合部材４ａ，４ｂに結ぶ（例えば肩紐６ａの両端に設けられた面ファスナを当接する）ことで本体２に接合される。肩紐６ｂは、両端をそれぞれ肩紐接合部材４ｃ，４ｄに結ぶ（例えば肩紐６ｂの両端に設けられた面ファスナを当接する）ことで本体２に接合される。肩紐６ａ，６ｂをそれぞれ両肩にかけることで、本体２を子供に着けることができる。なお、図では肩紐６ａ，６ｂを本体２から拡げて描いているが、直線状（リュックサックの肩紐の形状）としてもよい。
【００２６】
子供が成長し、お座りができるようになると、子供の腹部に本体２を置いても落下してしまう。そこで、肩紐６ａ，６ｂを用いて本体２を子供に着け、写真を撮影することができる。
【００２７】
上述の構成のサッシュベルト１によれば、本体２の一対のベルト接合部材３ａ，３ｂにベルト５を接合し、そのベルト５を胴部に巻きとめることで、本体２の装飾物を腹部上に留めることができる。また、ベルト５を一対のベルト接合部材３ａ，３ｂから取り外し、肩紐６ａを肩紐接合部材４ａ，４ｂに接合し、肩紐６ｂを肩紐接合部材４ｃ，４ｄに接合し、２つの肩紐６ａ，６ｂを両肩にかけて本体２を子供の胴体上に留めることができる。
【００２８】
以上詳細に説明したように、サッシュベルト１は、装飾物２ａが表側に設けられた本体２、本体２の第１軸Ｌ１方向の両端に設けられた一対のベルト接合部材３ａ，３ｂ、本体２の第１軸Ｌ１方向に交差する第２軸Ｌ２方向の両端及び第１軸Ｌ１方向に交差し、第２軸Ｌ２方向から離間する第３軸Ｌ３方向の両端のそれぞれに設けられた、肩紐６ａ，６ｂを着脱可能な肩紐接合部材４ａ〜４ｄを備える。本体２の一対のベルト接合部材３ａ，３ｂにベルト５を接合し、そのベルト５を胴部に巻きとめ、本体２を腹部上に留めることで妊婦用のサッシュベルトとして使用できるとともに、本体２の第２軸Ｌ２方向の両端に肩紐６ａ，６ｂを接合し、第３軸Ｌ３方向の両端に肩紐６ａを接合し、２つの肩紐６ｂを両肩にかけて本体２を胴体上に留めることで産後に子供の体に着ける装飾物として使用することができる。
【産業上の利用可能性】
【００２９】
出産前には妊婦用のサッシュベルトとして使用し、出産後に生まれてきた子供に着けることのできるサッシュベルトである。多くの家族による利用が考えられる。
【符号の説明】
【００３０】
１    サッシュベルト
２    本体
２ａ  装飾物
３ａ  ベルト接合部材
３ｂ  ベルト接合部材
４ａ  肩紐接合部材
４ｂ  肩紐接合部材
４ｃ  肩紐接合部材
４ｄ  肩紐接合部材
５    ベルト
６ａ  肩紐
６ｂ  肩紐
【図１】
0003215454.tif 000003
【図２】
0003215454.tif 000004
【図３】
0003215454.tif 000005